(57)【要約】【課題】  登下校時に児童を誘拐等の犯罪から守るための安全監視に関する。【解決手段】  学校への登下校時に、児童を犯罪から守るため、ランドセルに設置された検出器より、ランドセルの着脱状態、現在地および危険状態の有無を、ランドセルを着脱する行為以外は児童からの操作を一切必要としないで、保護者の携帯電話に自動的に送信する。受信者側では、例え保護者が携帯電話で第三者と通話中であっても、この信号を最優先で受信し、以降、携帯電話の操作面上の専用ボタンを用いて監視し、かつ同じ携帯電話を用い前記の監視機能を保持したまま、新たに第三者と交信できる機能を有する携帯電話を提供する。【選択図】図１
2008243169.tif 000002
【特許請求の範囲】
【請求項１】
通学路における児童の安全確保を目的として、ランドセル側から発信されるランドセルと児童の身体との着脱状態、ランドセルの位置情報および予め設定された危険条件に合致した場合に発信する警報を時刻と共に通信ネットワ−クを経由して受信する携帯電話において、受信者側が携帯電話を使用中か否かに拘らず、前記の信号を最優先で受信する携帯電話であって、受信者が携帯電話の操作面に設置された児童の安全監視のための専用ボタンを用いて、上記の受信内容を継続的にまたは断続的に繰り返し受信できる機能を有する携帯電話。
【請求項２】
受信者が前記の監視のため信号を受信中に、新たに第三者との交信が必要な場合は、その監視のための受信機能を保持したまま、新たな第三者との交信ができる機能を有する請求項１に記載の携帯電話。
【請求項３】
ランドセルの着脱状態を検出する検出器として、ランドセルの肩掛け部分の内側または背当て部分の、一方もしくは双方の位置に検出器を取り付け、検出器と児童の身体とが接触しているか否かを検出して着脱の有無を判定して発信させ、通信ネットワ−クを経由して、これを受信することを特徴とする請求項１に記載の携帯電話。
【請求項４】
予め設定された危険条件として、ランドセルの着脱時刻に関し、ランドセルを装着した時刻より予め設定された時間を超えてランドセルの着脱信号が送信されない場合に発信される警報を受信することを特徴とする請求項１に記載の携帯電話。
【請求項５】
予め設定された危険条件として、ランドセルの位置情報に関し、予め設定された地域外から、または予め設定された場所以外からランドセルの着脱信号が送信された場合、もしくは予め設定された地域内で、かつ予め設定された時間を超えてランドセルの移動がない場合に発信される警報を受信することを特徴とする請求項１に記載の携帯電話。
【発明の詳細な説明】
【技術分野】
【０００１】  本発明は、児童特に低学年の児童を学校への登下校において犯罪や事故から守るための安全監視システムに関する。
【背景技術】
【０００２】  児童が学校への登下校時に、犯罪や事故から守るため、各種の安全対策が提案されている。
【特許文献１】  特開２００２−２７９５７１
【特許文献２】  特開２００６−１５５３５４
【特許文献３】  特開２００６−１８５０２８これ等の文献には、児童の携帯電話やランドセルの隠れた部位に報知装置を取り付け、犯罪等の発生時に児童側で報知端末に繋がるケーブルを引き抜くか、または押釦する等の操作により、非常事態が発生した信号を発信し、これを通信ネットワークを経由して受信側である保護者の携帯電話に送る防犯システムが提案されている。【０００３】  これ等の提案では、受信側は携帯電話を用いて、非常事態を知らせる発信側からの警告情報、位置情報または直接、児童自身の音声等を警報として受信する。しかし受信側が受信する警報は、非常事態が発生した瞬間やその直後の極く短い時間内の情報に限定されており、例えば学童の登校時、児童が家庭を出発した時点から学校へ到着するまで一連の時間帯に渡って、その安全を継続して監視する等の提案は、これまでなされていない。
【発明の開示】
【発明が解決しようとする課題】
【０００４】  上記のように、今まで提案された殆ど全ての提案は、非常事態が発生する一時点を対象としており、この結果、次の三つの弱点を有する。第一は非常事態が発生した際、その一時点における警報信号の発信操作を児童本人の判断に委ねていることである。児童、特に小学校の低学年の児童にとって、その操作が例え短時間で単純化されていても「万一の非常事態の発生時に、児童当人が確実に緊急信号を発信できるか」という疑問が残る。【０００５】  第二の弱点は、警報機器の性能保証の問題である。児童が通学途上で誘拐や事故に遭遇するケースは、保護者にとって重大事であるが、その発生時間は一瞬であり、かつ発生頻度は非常に小さい。これを警報システムを作成する側から見ると、この発生頻度の少ない非常事態に対して、警報の論理回路を組まなくてはならない。加えて、その回路が万一の非常時に正しく作動することを関連する機器を含めて、長期に保証しなければならない。この保証が如何に難しいかは、昨今、安全装置の保守不良が原因で、一酸化炭素中毒事故を引き起こしたガス湯沸かし器の例が如実に示している。【０００６】  第三の弱点は、同信号を受信する保護者の携帯電話側の問題である。児童から発信された警報を受信する保護者としては、一般的には母親が当たるケースが大半である。多くの母親にとって受信したい情報は「我が子に通学途上の一時点で異常が発生したかどうか」という情報だけではなく、家庭からの出発して、学校へ到着するまでの一連の情報を一定時間、任意に追跡し「無事に学校に登校した」という情報も併せて知りたいと願っている。【０００７】  一方で多くの母親、特に児童を抱える若い世代の母親にとって、携帯電話は日常生活で情報交換等に欠かせない道具となっており、これを活用して我が子の安全を監視できれば大歓迎であるが、他方で携帯電話としての現状の機能も、このまま活用し続けたいと考えているのが本音である。【０００８】  この対応策として、従来の携帯電話には「キャッチホーン」と呼ばれる機能が付加されている。しかし、この機能は通話中に更に新たな情報が入力された場合、一方に待機を依頼する機能であり、情報の重要度は判別できないまま時間順に入力される。この際、受信者側が情報内容を任意に切り換えたり、切断したり、または一方の情報を保持した状態で、新たな相手先、例えば警察や病院等に並行して情報を発信する等の機能は備わっていない。【０００９】  また従来の携帯電話に付加されたキャッチホーン機能は、二つの情報が入力された場合に、先着の相手先に一時的な短時間の待機を依頼することを主目的にしており［０００６］に記したような比較的長い時間にわたる待機を要求するケースを想定していない。この課題を解決するため、本提案は携帯電話に監視のために新たに設けた専用ボタンを操作することにより「通学途上の子供の安全を継続して見守る」という機能を付加し、児童が登下校する一定の時間帯に渡って、母親自らが児童の安全を監視するもので、一時的な待機を想定した従来のキャッチホーン機能とは一線を画す。
【課題を解決するための手段】
【００１０】  請求項１では、情報の発信側を児童のランドセル端末とし、これと受信側である保護者の携帯電話およびこれを中継するＧＰＳ通信網などを結んだ通信ネットワークが記されている。通信ネットワークに繋がる中継局として、この他に携帯電話中継局、インターネット中継局、その他の専用通信網などがある。この概略を［図２］に示す。ランドセル端末から発信される信号は、この通信ネットワークを通して、受信者の携帯電話に送られる。ランドセルを背負った児童と保護者の間には通常の携帯電話のような会話による交信はない。発信される情報内容の流れは、ランドセル側から保護者の携帯電話に向かって一方的である。【００１１】  更に請求項１には、本提案の携帯電話が対象とする新たな情報が記されている。この携帯電話が新たに受ける情報の発信源は、児童の背負ったランドセルである。この情報は、ランドセルの着脱の有無、現在地の位置情報および予め設定された危険条件で判定された危険警報である。これ等の情報は、その発生時刻と共に受信側に最優先で受信される。ここで言う最優先とは、携帯電話が待機中は無論のこと、例え使用中で、かつその通話先が警察や消防等の相手先であっても優先して受信される。【００１２】  更に上記の携帯電話の操作手順を分かりやすく説明するため、児童の母親が受信したケースを代表例として記す。監視に関して新しい情報が入った場合は、入力信号は［図１］に示すような携帯電話上の監視のための専用ボタン（中央部に表示ランプ付）で、警報音とランプの点滅表示で母親に知らされる。母親は携帯電話を通話等に使用していない状態では、この監視ボタンを１回クリックする。最初に出る画面は、情報の種類である。例えば「正常信号：ランドセルを装着しました」あるいは「危険信号：予定時間を超えましたが学校に到着していません」等の情報である。監視ボタンの警報ランプは最初のクリック操作により点滅から点灯に変わり、携帯電話による監視機能がスタートしたことを示す。【００１３】  更に母親が詳しい情報を得るためには、監視ボタンをもう１回、クリックする。この操作により、画面は情報がどこから発信されたかを示す位置情報に切り替わり、情報を発信した現在地が地図上で示される。更に続けて、もう一度、同じ監視ボタンをクリックすれば、再び情報の種類を示す前画面へ戻る。以降、同じ動作で両画面を切り換えて表示することができる。【００１４】  通常は児童が無事に学校に到着し、受信者側は「ランドセルを脱着しました」の情報を受信する。母親は同じような手順で到着した場所を確認し、それが学校で正常な信号であることを確認し安心する。母親がこの監視を終了したい時は、同じ監視ボタンを長時間、例えば４秒程度、長押し続けることにより、この通信は終了する。【００１５】  もし母親が第三者との通話やメール文書の入力等で携帯電話を使用中の場合に、この監視の情報が入力された場合は、［００１２］に示すような手順で母親に知らされる。母親は、情報の内容により「安全で、心配ない」と判断した場合は、監視ボタンをダブル・クリックすることにより、元の通話やメール文書の作業に戻ってその作業を継続できる。この場合でも、母親が確認ボタンを長押ししない限り、監視機能は継続して保持される。例えば朝、児童がランドセルを装着した時間に、たまたま母親が第三者と通話中やメール中であった場合等が、このケースに相当する。【００１６】  請求項２では、もし母親が第三者と通話中などに、危険を示す情報が入力された場合は、母親は直ちに第三者にその旨を通知して通話を切り、我が子の状況を監視する。場合によっては、この監視を継続しながら、新たな第三者、例えば警察等へ同じ携帯電話を使って緊急連絡する。この場合も、母親は携帯電話の監視機能を保持した状態で、緊急連絡を行うことができる。このように受信者が一つの交信状態を保持しながら、更に新たな相手と交信できる機能は、従来の携帯電話には備わっていない。【００１７】  請求項１および請求項２に記載する携帯電話の機能について、受信者を母親とした事例で説明したが、受信者の区分、監視ボタンの機能、操作手順等は、この事例に拘らない。監視ボタンを専用とせず、既設のボタン類と併用させたり、操作手順を別な方法に変更することも可能ある。ここで重要なことは、犯罪の発生時などの緊急時には受信者側は冷静な判断が困難になると予想されるので、携帯電話上のボタン配置は極力、簡素化し、操作は出来るだけ単純な方法を選択することである。【００１８】  請求項３に記載された検出器は、取り付け位置としてランドセルの肩掛けと背当て部分を指定している。理由は、この部分がランドセルを背負った際にランドセルが児童の身体に最も触れ易い部分であり、この部分への接触の有無を検出器で感知し、ランドセルの着脱状態を自動的に発信させて、児童自身による発信操作を一切、省略させたためである。【００１９】  また請求項３に記載されたランドセルの着脱を検出する検出器については、圧電式または静電容量式等が使われる。圧電式とは、ランドセルが児童の身体に触れた際に生ずる微小の圧力変化を電気信号に変換する方式をいい、静電容量式とは同じく児童の身体に触れた際の電気抵抗や電流等の変化を電気信号に変換する方式をいう。【００２０】  請求項４に記載された警報信号は、予め設定された時間を超えて着脱信号が送信されない場合に警報を発信する。予め設定する時間とは、児童が家庭から学校へ通うために要する平均的な時間を指す。この時間を大きく超えて信号が送信されない場合は、児童が何らかのトラブルに巻き込まれ通学に時間がかかっている可能性を示す。この場合は受信者は位置情報を検索し、その場所を追跡することができる。【００２１】  請求項５に記載された警報信号の一つ目は、ランドセルの位置情報に関し、予め設定された地域外からランドセルの位置情報が送られた場合に受信者に警報する。予め設定された地域とは、通常は通学する学校の校区であるが、必要に応じて通学路の近傍等、別途に地域を設定することも可能である。この警報が送信される場合は、児童が通常の通学経路から外れていることを示す。この場合は受信者は位置情報を検索し、その場所を追跡することができる。【００２２】  更に請求項５に記載された警報信号の二つ目は、予め指定された場所以外からランドセルの着脱信号が送られた場合に警報する。予め指定された場所とは、通常は保護者の家庭と学校である。もしこの場所以外から、ラ���ドセルの着脱信号を受信した場合は、保護者は位置情報を検索し、その場所を追跡することができる。時には子供が道草をして、公園で遊ぶためにランドセルを脱着したのかも知れない。しかし保護者にとって、その場所を検索して理由が判れば安心である。【００２３】  更に請求項５に記載された警報信号の三つ目は、予め指定された地域内で、かつ予め設定された時間を超えてランドセルの移動がない場合に警報する。この場合は子供が何らかの理由で動けない状態を示す。例えば交通事故等に巻き込まれ、倒れているような状態である。この場合も、受信者は位置情報を検索し、その場所を追跡することができる。以上の各種の警報信号が作動する手順の一例を［図３］に示す。【００２４】  その他、警報を発信する要因としては、請求項には記載はないがランドセル本体から通信が途絶えたり、通信ネットワークの回路に故障が発生したケース等が考えられる。これ等のケースには通常の通信システムで使用されている警報を送信すればよい。
【発明の効果】
【００２５】  本提案により次の効果が期待できる。児童を登下校時における事故や犯罪から守るために、各種の安全対策が提案され、既に実施されている。保護者や地域ボランテア等による安全パトロールは、その一例である。しかし、凶悪化する犯罪者や事故から子供たちを守るためには、上記の防犯活動に加えて、最新の機器を活用した新たな監視システムの導入が必要である。本提案によれば現在、広く普及されている携帯電話に、新たに専用の安全監視の機能を付加することで、簡潔かつ確実性の高い防犯対策が可能となる。
【発明を実施するための最良の形態】
【００２６】  本提案の実施に当たっての第一の留意点は、発信側の操作の簡素化である。このため本提案では、監視機能の対象をランドセルから送られてくる送信情報だけに限定した。更に発信側には児童がランドセルを背負うことおよび脱着するという行為以外には何等の特別な操作を期待していない。着脱信号はランドセル本体と児童の身体との着脱を判定して、自動的に通信ネットワークシステムを経由して母親の携帯電話で受信される。尚、本提案との関連で、発信側の機能の詳細については、発明者等が既に出願した特願２００６−２３４５４６：「背負うと母親の携帯電話に繋がるランドセル」が有効である。【００２７】  受信側の携帯電話は、発信者からのランドセルの位置を正確に受信しなければならない。このためＧＰＳ通信、携帯電話・中継基地、インターネットおよびその他の専用網を活用した正確な位置情報の把握と伝送システムが必要である。将来的には、より精度の高い位置情報を使って、ランドセルが移動する時間と変位を測定できれば、本提案は車両を使った子供の誘拐犯罪等の監視にも活用できる。【００２８】  実施に当たっての第二の留意点は、監視システムの保守のやり易さである。この監視システムの特徴は、システムを非常事態が発生した一時点に限って使用するのではなく「毎日、登下校の毎に使用すること」にある。この特徴は、システムのメンテナンスと保証面で、大きな長所となる。［図３］に示したように本提案の警報回路は、ランドセルの脱着という正常な行為を含む日常監視の一部として組み込まれている。この結果、機器や回路の異常の有無は毎日、定期的に検査される。一方、従来の提案に見られるように、非常事態の一時点のみに作動する警報装置を取り付けたシステムでは「その警報装置が、万一の非常事態時に正確に作動するかどうか」を定期的に検査しなければならず、そのための保守作業に多大な労力を必要とする。【００２９】  第三の留意点は、受信側の操作の簡易化である。母親にとって万一、我が子が犯罪や事故に巻き込まれたケースを想定した場合、本人は気が動転し冷静な判断ができない精神状態にある考えなくてはならない。更にその状況下にあっても、一方で我が子の安否を確認し、他方で家族や警察等へ同じ携帯電話を使って連絡しなければならない。このため監視に関する操作は既設の機能とは独立させ、かつ最も簡単な方法、例えば独立した一つのボタンを使って全ての操作が為される等の配慮が大切である。【００３０】  第四の留意点は、新しい機能を付加することへの保護者への負担増である。携帯電話については、昨今、価格は大幅に低減し、かつ性能改善のスピードは早まり、若い世代の買い替えまでの平均的な使用期間は、約３年といわれる。若い母親にとって、我が子の通学の安全監視のため、監視を必要とする期間に、本提案のような新しい機能を持つ携帯電話を購入することへの経済的負担は小さい。また携帯電話の操作に慣れた若い保護者にとって、操作上の理解への障害も小さいと考えられる。
【産業上の利用可能性】
【００３１】  本提案は「子供がランドセルを背負うこと及び取外すこと」という日常的に必ず繰り返される行動に着目し、ここからの信号を母親の携帯電話に繋げてネットワークを構築し、子供を犯罪や事故から守るための安全対策に活用している。更に携帯電話に新たな専用の監視機能を付加することにより、特に幼い児童を持つ母親が、自ら我が子の安全を見守ることが可能となり、従来に比し有効な防犯対策になると考えられる。更に本提案の応用例として、監視の対象をランドセルから自動車に替え、運転席へ本提案と同じような検出器を取り付けて、運転者との接触の有無を検出し、これを監視システムに組みこめば、愛車の盗難防止等に応用できる。
【図面の簡単な説明】
【００３２】
【図１】  携帯電話に監視ボタンを付ける際の代表的な位置を示す図である。
【図２】  本提案の通信ネットワークの概要を示す図である。
【図３】  警報回路の作動の一例を示す概略フローチャートである。
【符号の説明】
【００３３】    １．  通信ネットワーク
２．  ランドセル端末（発信側）
３．  携帯電話
４．  ＧＰＳ通信網（中継側）
５．  携帯電話・中継局（中継側）
６．  インターネット網（中継側）
７．  その他専用通信網（中継側）
８．  携帯電話の監視のための専用ボタン（名称：監視ボタン、表示ランプ付）
【図１】
2008243169.tif 000003
【図２】
2008243169.tif 000004
【図３】
2008243169.tif 000005
【手続補正書】
【提出日】平成20年4月22日(2008.4.22)
【手続補正１】
【補正対象書類名】明細書
【補正対象項目名】００１０
【補正方法】変更
【補正の内容】
【００１０】請求項１では、情報の発信側を児童のランドセル端末とし、これと受信側である保護者の携帯電話およびこれを中継するＧＰＳ通信網などを結んだ通信ネットワークが記されている。通信ネットワークに繋がる中継局として、この他に携帯電話中継局、インタ−ネット中継局、その他の専用通信網などがあり、この概略を［図２］に示す。［図２］は本発明で利用する監視システムの概要を示す図である。ランドセル端末から発信される信号は、この通信ネットワークを通して、受信者の携帯電話に送られる。ランセドルを背負った児童と保護者の間には通常の携帯電話のような会話による交信はない。発信される情報内容の流れは、ランドセル側から保護者の携帯電話に向かって一方的ある。
【手続補正２】
【補正対象書類名】明細書
【補正対象項目名】００１２
【補正方法】変更
【補正の内容】
【００１２】更に上記の携帯電話の操作手順を分かりやすく説明するため、児童の母親が受信したケースを代表例として［図１］を使って記す。［図１］は本発明の携帯電話の外観図を示す。図１（ａ）は本発明の携帯電話の操作面を開いた図を示し、図１（ｂ）は監視専用ボタンを拡大して示す図である。本発明の携帯電話１の操作面には監視のための監視専用ボタン８が設けられている。監視専用ボタン８の中央部は、表示ランプ１０を兼ねている。この例では監視専用ボタンは、表示画面９の下に配置されているが、配置場所は特に制限はない。監視に関して新しい情報が入った場合は、入力信号は［図１］に示すような携帯電話の監視専用ボタン（中央部に表示ランプ付き）で、警報音とランプの点滅表示で母親に知らされる。母親は携帯電話を通話等に使用していない状態では、この監視専用ボタンを１回クリックする。最初に出る表示画面は、情報の種類である。例えば「正常信号：ランドセルを装着しました」あるいは「警報信号：予定時間を超えましたが学校に到着していません」等の情報である。監視専用ボタンの表示ランプは最初のクリック操作により点滅から点灯に変わり、携帯電話による監視がスタートしたことを示す。
【手続補正３】
【補正対象書類名】明細書
【補正対象項目名】００１３
【補正方法】変更
【補正の内容】
【００１３】更に母親が詳しい情報を得るためには、監視専用ボタンをもう１回、クリックする。この操作により、表示画面は情報が、現時刻において、どこから発信されたかを示す位置情報に切り替わり、情報を発信した現在地が地図上で示される。更に続けて、もう一度、同じ監視専用ボタンをクリックすれば、再び情報の種類を示す前画面へ戻る。以降、同じ操作で両画面を切り換えて表示することができる。情報の種類と位置情報を受信する携帯電話の表示画面には、受信に際し現在時刻も併せて表示する。
【手続補正４】
【補正対象書類名】明細書
【補正対象項目名】００１４
【補正方法】変更
【補正の内容】
【００１４】通常は児童が無事に学校へ到着し、受信者側である母親は「ランドセルを脱着しました」の情報を受信する。母親は同じような手順で到着した場所を確認し、それが学校で正常信号であることを確認し安心する。母親がこの監視を終了したい時は、同じ監視専用ボタンを長時間、例えば４秒程度、長押し続けることにより、この通信は終了する。
【手続補正５】
【補正対象書類名】明細書
【補正対象項目名】００１５
【補正方法】変更
【補正の内容】
【００１５】もし母親が第三者との通話やメール文書の入力等で携帯電話を使用中の場合に、この監視の情報が入力された場合は、［００１２］に示すような手順で母親に知らされる。母親は、情報の内容により「安全で、心配ない」と判断した場合は、監視専用ボタンをダブル・クリックすることにより、元の通話やメール文書の作成に戻ってその作業を継続できる。この場合でも、母親が同じ監視専用ボタンを長押ししない限り、監視機能は継続して保持される。同じように、母親が第三者と通話の途中で我が子の安全を再度、確認したい場合は、監視専用ボタンをダブル・クリックすれば、［００１３］に記載された監視のための画面に戻ることができる。この場合でも、母親が通話を切断するボタンを押さない限り、第三者との通話機能は継続して保持される。このように、我が子を監視する機能と第三者と通話する等の機能は、これを終了または切断するという操作がない限り、一つの専用ボタンにより交互に切り換えて、継続して使用することができる。例えば朝、児童がランドセルを装着した時間に、たまたま母親が第三者との通話中やメール文書の入力中であった場合等が、このケースに相当する。
【手続補正６】
【補正対象書類名】明細書
【補正対象項目名】００１６
【補正方法】変更
【補正の内容】
【００１６】請求項２について、通話中でも子供の安全を監視できる携帯電話として、その構成を記す。もし母親が第三者と通話中などに、危険を示す情報が入力された場合は、母親は直ちに第三者にその旨を通知して通話を切り、我が子の状況を監視する。場合によっては、この監視を継続しながら、新たな第三者、例えば警察等へ同じ携帯電話を使って緊急連絡を行う必要がある。この機能は、既存の独立した２台の携帯電話の機能をそのまま残し、両方の携帯電話の本体同志を、例えば接着剤で合体させれば、実現が可能であり、既に実在する技術で容易に実施できる。しかし、緊急時における警察等への連絡は、一刻を競う緊急事態であるため、我が子の監視を続けながら、並行して迅速に行わなくてはならない。このため、［図１］に記載した監視専用ボタンを設けて、［００１５］に記載した簡潔な操作により、同じ携帯電話を使って、我が子の安全監視と警察への連絡とを交互に切替えて交信できる携帯電話とする。このように１台の電話機で、受信者が我が子の安全監視のために一つの交信状態を保持しながら、更に新たな相手と交信できる機能は、従来の携帯電話には備わっていない。
【手続補正７】
【補正対象書類名】明細書
【補正対象項目名】００１７
【補正方法】変更
【補正の内容】
【００１７】請求項１および請求項２に記載する携帯電話の機能について、受信者を母親とした事例で説明したが、受信者の区分、監視ボタンの機能、操作手順等は、この事例に拘らない。１台で、二つの交信能力を持つ携帯電話は［００１６］で記したように、既存の機能を持つ２台の別々の携帯電話を一体に合体すれば良い。更に両者は［図１］に示すように電話機の操作面上に新しく付けた専用ボタン操作を経由して、容易に交信を希望する携帯電話へ切り換えができる構造とする。この結果、見掛けは一台の携帯電話であっても、通常の通話中に我が子の警報情報を受信したり、あるいは一方で我が子からの警報情報を受信しながら、他方で警察等へ緊急情報を発信することが可能となる。無論、これ等の受信操作や発信操作は、独立して行われるので、合体しても一基分で充分な装置や部品、例えば携帯電話の操作面上の表示画面や番号を示すボタン等は、［図１］に示すように簡素化して一基分とする。また監視のためのボタンを専用とせず、既設のボタンと併用させたり、操作手順を別な方法に変更することも可能である。ここで重要なことは、犯罪の発生時などの緊急時には受信者側は冷静な判断が困難になると予想されるので、携帯電話上のボタン配置は極力、簡素化し、操作は出来るだけ単純な方法を選択することである。
【手続補正８】
【補正対象書類名】明細書
【補正対象項目名】００２３
【補正方法】変更
【補正の内容】
【００２３】更に請求項５に記載された警報信号の三つ目は、予め指定された地域内で、かつ予め設定された時間を超えてランドセルの移動がない場合に警報する。この場合は子供が何らかの理由で動けない状態を示す。例えば交通事故等に巻き込まれ、倒れているような状態である。この場合も、受信者は位置情報を検索し、その場所を追跡することができる。以上の［００２０］から［００２３］に記載する各種の警報信号が作動する手順の一例を［図３］のフローチャートに示す。「図３］には、ランドセルを装着または脱着するという正常信号の発信も、各種の警報信号と併せて記載されている。更にフローチャートに示す判断基準に従い、基凖から外れる場合は警報信号を発信する。ランドセルからの信号は、ランドセルを装着する時点をスタートとし、受信者側がこの監視を終了するという操作を行わない限り、継続して発信される。この信号は［００１４］に記載したように、受信者側が携帯電話の操作面上で監視専用ボタンを長時間、例えば４秒程度、長押し続けることにより通信を終了する。
【手続補正９】
【補正対象書類名】明細書
【補正対象項目名】００２９
【補正方法】変更
【補正の内容】
【００２９】第三の留意点は、受信者側の操作の簡易化である。受信者である母親にとって万一、我が子が犯罪や事故に巻き込まれたケースを想定した場合、本人は気が動転し冷静な判断ができない精神状態にあると考えなくてはならない。更にその状況下にあっても、一方で我が子の安否を確認し、他方で家族や警察等へ同じ携帯電話を使って連絡しなければならない。このため監視に関する操作は既設の機能とは独立させ、かつ最も簡単な方法、例えば［図１］に示すような監視専用ボタンを使って、［００１３］に記載したように情報内容と位置情報を切り換えたり、［００１５］に記載したように同じ監視専用ボタンのダブル・クリック操作により、我が子の監視機能と第三者への通話機能との切替えができる等の配慮が大切である。
【手続補正１０】
【補正対象書類名】明細書
【補正対象項目名】００３３
【補正方法】変更
【補正の内容】
【００３３】１．  通信ネットワーク
２．  ランドセル端末（発信側）
３．  携帯電話
４．  ＧＳＰ通信網（中継側）
５．  携帯電話・中継局（中継側）
６．  インタ−ネット網（中継側）
７．  その他専用通信網（中継側）
８．  携帯電話の監視専用ボタン（表示ランプ付き）
９．  携帯電話の表示画面
１０．表示ランプ
【手続補正１１】
【補正対象書類名】図面
【補正対象項目名】図１
【補正方法】変更
【補正の内容】
【図１】
2008243169.tif 000006